(57)【特許請求の範囲】
【請求項１】
世界的に重複しない各々異なるアドレスを有する第１〜第３のエージェントが内在されているノードと、
前記第１〜第３のエージェントを管理する網管理装置と、
前記網管理装置と前記ノードとの間を接続するネットワークとを備え、
前記第１のエージェントは、
前記網管理装置から通知される制御情報を受付けたり、前記網管理装置に前記制御情報に対する応答やイベント通知を行ったりするプロキシーエージェントと、
前記制御情報がどのエージェントに対するものかを識別して振分けるエージェント振分機能部と、
前記振分けられた制御情報に基づいて前記第２のエージェントのマネージメントを行う第１のマネージャ機能部と、
前記振分けられた制御情報に基づいて前記第３のエージェントのマネージメントを行う第２のマネージャ機能部とを有し、
前記第１のエージェントは、直接、前記ネットワークに接続され、前記第１〜第３のエージェントの間は、それぞれ前記ネットワークと同様のインタフェースで接続され、
前記網管理装置は、前記第２又は第３のエージェントのモードを設定する場合、前記第２又は第３のエージェントを識別するアドレスと、設定するモードの種類と、設定内容とを含んだパケットを生成するとともに、前記第１のエージェントのアドレスを付与して前記ネットワークに送信し、さらに前記第２又は第３のエージェントが単独で前記ネットワークに接続された場合、前記第２又は第３のエージェントのアドレスを識別することで、前記ノードとは独立的に前記第２又は第３のエージェントの管理を行い、
さらに前記網管理装置は、前記第１〜第３のエージェントの全トラフィック情報の収集を行う場合、全トラフィック収集を要求するパケットを生成し、前記第１のエージェントのアドレスを付与して前記ネットワークに送信する
ことを特徴とするネットワーク管理システム。
【請求項２】
網管理装置によりノードに内在されている世界的に重複しない各々異なるアドレスを有する第１〜第３のエージェントを管理する工程と、
前記第１のエージェントのプロキシーエージェントにより前記網管理装置から通知される制御情報を受付けたり、前記網管理装置に前記制御情報に対する応答やイベント通知を行ったりする工程と、
前記第１のエージェントのエージェント振分機能部により前記制御情報がどのエージェントに対するものかを識別して振分ける工程と、
前記第１のエージェントの第１のマネージャ機能部により前記振分けられた制御情報に基づいて前記第２のエージェントのマネージメントを行う工程と、
前記第１のエージェントの第２のマネージャ機能部により前記振分けられた制御情報に基づいて前記第３のエージェントのマネージメントを行う工程とを有し、
前記第１のエージェントは、直接、ネットワークに接続され、前記第１〜第３のエージェントの間は、それぞれ前記ネットワークと同様のインタフェースで接続され、
前記網管理装置は、前記第２又は第３のエージェントのモードを設定する場合、前記第２又は第３のエージェントを識別するアドレスと、設定するモードの種類と、設定内容とを含んだパケットを生成するとともに、前記第１のエージェントのアドレスを付与して前記ネットワークに送信し、さらに前記第２又は第３のエージェントが単独で前記ネットワークに接続された場合、前記第２又は第３のエージェントのアドレスを識別し、前記ノードとは独立的に前記第２又は第３のエージェントの管理を行い、
さらに前記網管理装置は、前記第１〜第３のエージェントの全トラフィック情報の収集を行う場合、全トラフィック収集を要求するパケットを生成し、前記第１のエージェントのアドレスを付与して前記ネットワークに送信する
ことを特徴とするネットワーク管理方法。
【発明の詳細な説明】
【０００１】
【発明の属する技術分野】
本発明は、各々アドレスを有するエージェントの管理に適したネットワーク管理システム及びネットワーク管理方法に関する。
【０００２】
【従来の技術】
従来のネットワーク管理システムにおいては、ネットワーク構成機器とこれを管理する管理端末とが、ＳＮＭＰ (Simple Network Management Protocol) 等のネットワーク管理プロトコルを用いて直接通信を行うようにしている。
【０００３】
このようなＳＮＭＰを用いたネットワーク管理システムにおいては、管理の対象となる各ネットワーク構成機器に、被管理機能 (SNMP Agent機能) を設けるとともに、管理端末との通信を行う上で必要となるネットワーク層での識別子として、ＩＰアドレスを付与する必要がある。
【０００４】
このＩＰアドレスは、世界的に唯一である必要があり、管理端末が接続されているネットワーク上でネットワーク構成機器の識別子として実際に使用される。
【０００５】
このようなネットワーク管理方式として、たとえば特開平９−３３１３２５号公報では、複数のネットワーク構成機器により被管理機能を有する監視ネットワークを構築し、ＩＰネットワークに設置される管理端末により各ネットワーク構成機器を監視するとともに、監視ネットワークとＩＰネットワークとの接続点に代理応答装置を設置するようにしている。
【０００６】
そして、代理応答装置のＩＰネットワークとの接続部には、世界的に重複しないＩＰアドレスが付与されている。また、代理応答装置の監視ネットワークとの接続部には、監視ネットワーク内で重複しないＩＰアドレスが付与されている。
【０００７】
また、代理応答装置において、管理端末が各ネットワーク構成機器を特定するための管理識別要素と各ネットワーク構成機器に付与されたＩＰアドレスの変換及び監視ネットワーク中の管理項目の変換が行われる。
【０００８】
【発明が解決しようとする課題】
ところが、上述した先行技術では、各ネットワーク構成機器が監視ネットワーク内で世界的に重複しないＩＰアドレスとは異なるアドレスを有し、応答代理装置が管理端末から通知されたメッセージを変換するようにしているため、各ネットワーク構成機器をそのままＩＰネットワークに接続した状態での管理端末による管理が不可能となっている。
【０００９】
また、単独で存在しているノードをそのままネットワーク構成機器として用いようとすると、インタフェースの変更が必要となる。しかも、同一のノード内に各々アドレスを有する複数のネットワーク構成機器が存在する場合、管理端末からは独立のネットワークのノードとして制御されてしまうことから、ネットワーク構成機器の管理が煩雑となるという問題がある。
【００１０】
本発明は、このような状況に鑑みてなされたものであり、個々にアドレスを有する複数のエージェントの管理を容易に行うことができ、また各エージェントをインタフェースを変更せずにネットワークに直接接続することができ、さらにはネットワークに独立で接続されているエージェントをインタフェースを変更せずに同一のノードとして内在させることができるネットワーク管理システム及びネットワーク管理方法を提供することができるようにするものである。
【００１１】
【課題を解決するための手段】
本発明のネットワーク管理システムは、世界的に重複しない各々異なるアドレスを有する第１〜第３のエージェントが内在されているノードと、第１〜第３のエージェントを管理する網管理装置と、網管理装置とノードとの間を接続するネットワークとを備え、第１のエージェントは、網管理装置から通知される制御情報を受付けたり、網管理装置に制御情報に対する応答やイベント通知を行ったりするプロキシーエージェントと、制御情報がどのエージェントに対するものかを識別して振分けるエージェント振分機能部と、振分けられた制御情報に基づいて第２のエージェントのマネージメントを行う第１のマネージャ機能部と、振分けられた制御情報に基づいて第３のエージェントのマネージメントを行う第２のマネージャ機能部とを有し、第１のエージェントは、直接、ネットワークに接続され、第１〜第３のエージェントの間は、それぞれネットワークと同様のインタフェースで接続され、網管理装置は、第２又は第３のエージェントのモードを設定する場合、第２又は第３のエージェントを識別するアドレスと、設定するモードの種類と、設定内容とを含んだパケットを生成するとともに、第１のエージェントのアドレスを付与してネットワークに送信し、さらに第２又は第３のエージェントが単独でネットワークに接続された場合、第２又は第３のエージェントのアドレスを識別することで、ノードとは独立的に第２又は第３のエージェントの管理を行い、さらに網管理装置は、第１〜第３のエージェントの全トラフィック情報の収集を行う場合、全トラフィック収集を要求するパケットを生成し、第１のエージェントのアドレスを付与してネットワークに送信することを特徴とする。
本発明のネットワーク管理方法は、網管理装置によりノードに内在されている世界的に重複しない各々異なるアドレスを有する第１〜第３のエージェントを管理する工程と、第１のエージェントのプロキシーエージェントにより網管理装置から通知される制御情報を受付けたり、網管理装置に制御情報に対する応答やイベント通知を行ったりする工程と、第１のエージェントのエージェント振分機能部により制御情報がどのエージェントに対するものかを識別して振分ける工程と、第１のエージェントの第１のマネージャ機能部により振分けられた制御情報に基づいて第２のエージェントのマネージメントを行う工程と、第１のエージェントの第２のマネージャ機能部により振分けられた制御情報に基づいて第３のエージェントのマネージメントを行う工程とを有し、第１のエージェントは、直接、ネットワークに接続され、第１〜第３のエージェントの間は、それぞれネットワークと同様のインタフェースで接続され、網管理装置は、第２又は第３のエージェントのモードを設定する場合、第２又は第３のエージェントを識別するアドレスと、設定するモードの種類と、設定内容とを含んだパケットを生成するとともに、第１のエージェントのアドレスを付与してネットワークに送信し、さらに第２又は第３のエージェントが単独でネットワークに接続された場合、第２又は第３のエージェントのアドレスを識別し、ノードとは独立的に第２又は第３のエージェントの管理を行い、さらに網管理装置は、第１〜第３のエージェントの全トラフィック情報の収集を行う場合、全トラフィック収集を要求するパケットを生成し、第１のエージェントのアドレスを付与してネットワークに送信することを特徴とする。
本発明に係るネットワーク管理システム及びネットワーク管理方法においては、第１〜第３のエージェントに対し世界的に重複しない各々異なるアドレスを付与してノード内に内在させ、第１のエージェントを、直接、ネットワークに接続し、第１〜第３のエージェントの間を、それぞれネットワークと同様のインタフェースで接続するとともに、第１〜第３のエージェントをネットワークによって接続された網管理装置によって管理するようにする。
【００１２】
【発明の実施の形態】
以下、本発明の実施の形態について説明する。
【００１３】
図１は、本発明のネットワーク管理システムの一実施の形態を示すブロック図、図２は、図１のエージェントの詳細を示すブロック図、図３は、図１のノード内に内在しているエージェントを単独でネットワークに接続した場合を示すブロック図である。
【００１４】
図１に示すネットワーク管理システムは、ネットワーク３０に網管理装置２０とノード１０とが接続される構成をとっている。ノード１０には、第１〜第３のエージェントとしてのエージェント４０，５０，６０が内在している。各エージェント４０〜６０には、世界的に重複しない各々異なるアドレスがもたされている。
【００１５】
エージェント４０は、直接、ネットワーク３０に接続されている。また、エージェント４０〜６０の間は、それぞれネットワーク３０と同様のインタフェースで接続されている。
【００１６】
エージェント４０は、図２に示すように、プロキシーエージェント４０１、エージェント振分機能部４０２、マネージャ機能部４０３，４０４を備えている。
【００１７】
プロキシーエージェント４０１は、網管理装置２０から通知される制御情報を受付けたり、網管理装置２０に制御情報に対する応答やイベント通知を行ったりする。エージェント振分機能部４０２は、網管理装置２０から受信した制御情報がどのエージェントに対する制御情報かを識別し、エージェント毎のマネージャ機能部４０３又は４０４に振分ける。第１のマネージャ機能部としてのマネージャ機能部４０３は、エージェント５０に対する制御（マネージメント）を行う。第２のマネージャ機能部としてのマネージャ機能部４０４は、エージェント６０に対する制御（マネージメント）を行う。
【００１８】
次に、このような構成のネットワーク管理システムの動作について説明する。
【００１９】
まず、網管理装置２０のアドレスをＡ２０、エージェント４０のアドレスをＡ４０、エージェント５０のアドレスをＡ５０、エージェント６０のアドレスをＡ６０とする。これらのアドレスＡ２０，Ａ４０，Ａ５０，Ａ６０は世界的に重複しないアドレスである。
【００２０】
また、ノード１０内のエージェント４０は、エージェント５０のアドレスＡ５０とエージェント６０のアドレスＡ６０とを予め認識している。また、網管理装置２０は、ノード１０への制御情報を転送するために設定するアドレスを、エージェント４０のアドレスであるＡ４０であると認識している。
【００２１】
ここで、網管理装置２０がたとえばエージェント５０へのモードを設定する場合、エージェント５０を識別する情報と、設定するモードの種類と、設定内容とを含んだパケットを生成するとともに、エージェント４０のアドレスであるＡ４０を付与してネットワーク３０に送信する。
【００２２】
そして、ネットワーク３０から通知された制御情報をエージェント４０が受信すると、エージェント４０のプロキシーエージェント４０１がその制御情報を分析するとともに、分析による認識情報を付加したネットワーク３０からの制御情報をエージェント振分機能部４０２に転送する。
【００２３】
エージェント振分機能部４０２では、その識別情報よりエージェント５０へのモード設定であることを認識し、マネージャ機能部４０３に制御情報を転送する。マネージャ機能部４０３では、エージェント振分機能部４０２を介して網管理装置２０から通知された制御情報に従い、設定するモードの種類と設定内容とを含んだパケットを生成し、エージェント５０のアドレスであるＡ５０を付与して、エージェント５０に転送する。
【００２４】
エージェント５０では、通知された情報（パケット）からモードを設定し、設定結果をエージェント４０のマネージャ機能部４０３に返送する。マネージャ機能部４０３では、エージェント５０から通知された設定結果をエージェント振分機能部４０２を経由してプロキシーエージェント４０１に転送する。
【００２５】
プロキシーエージェント４０１では、エージェント５０から転送されたモード設定の結果を、ネットワーク３０を介して網管理装置２０に通知する。そして、網管理装置２０では、そのモード設定の結果を認識する。
【００２６】
次に、網管理装置２０がノード１０の全トラフィック情報の収集を行う場合、全トラフィック収集を要求するパケットを生成し、エージェント４０のアドレスＡ４０を付与してネットワーク３０に転送する。
【００２７】
エージェント４０が網管理装置２０からの制御情報を受信すると、プロキシーエージェント４０１が全てのトラフィックを収集することで、エージェント５０，６０に対してトラフィック情報の収集要求を行う必要があることを認識する。
【００２８】
そこで、エージェント振分機能部４０２は、マネージャ機能部４０３，４０４の両方にトラフィック収集要求を行う。
【００２９】
そして、マネージャ機能部４０３は、各々のトラフィック収集要求を行うパケットを生成し、エージェント５０のアドレスＡ５０を付与して、エージェント５０に転送する。エージェント５０では、通知された情報からトラフィック情報の読出しであることを認識し、該当する情報を読出し、マネージャ機能部４０３に返送する。
【００３０】
マネージャ機能部４０３では、エージェント５０からのトラフィック情報をエージェント振分機能部４０２を経由してプロキシーエージェント４０１に転送する。
【００３１】
同様に、マネージャ機能部４０４は、各々のトラフィック収集要求を行うパケットを生成し、エージェント６０のアドレスＡ６０を付与して、エージェント６０に転送する。エージェント６０では、通知された情報からトラフィック情報の読出しであることを認識し、該当する情報を読出し、マネージャ機能部４０４に返送する。マネージャ機能部４０４では、エージェント６０からのトラフィック情報をエージェント振分機能部４０２を経由してプロキシーエージェント４０１に転送する。
【００３２】
プロキシーエージェント４０１では、エージェント４０のトラフィック情報を読出し、さらにマネージャ機能部４０３，４０４を介して通知されるエージェント５０，６０のトラフィック情報を読出し、各々読出したトラフィック情報をまとめネットワーク３０を介して網管理装置２０に転送する。
【００３３】
網管理装置２０では、ノード１０のトラフィック情報として、通知されたトラフィック情報を認識する。
【００３４】
その後、図３に示すように、エージェント６０が単独でネットワーク３０に接続された場合、網管理装置２０はエージェント６０のアドレスＡ６０を識別し、ノード１０とは独立してエージェント６０に対して制御を行うことができる。
【００３５】
このように、本実施の形態では、エージェント４０〜６０に対し世界的に重複しない各々異なるアドレスを付与してノード１０内に内在させ、エージェント４０を、直接、ネットワーク３０に接続し、エージェント４０〜６０の間を、それぞれネットワーク３０と同様のインタフェースで接続するとともに、エージェント４０〜６０をネットワーク３０によって接続された網管理装置２０によって管理するようにした。
【００３６】
よって、ノード１０内のたとえばエージェント４０が全てのエージェント４０〜６０を代表して通知された情報が何れのエージェント４０〜６０かを識別するため、網管理装置２０はノード１０を１つのエージェントとして捉えることが可能となるため、個々にアドレスを有する複数のエージェント４０〜６０の管理を容易に行うことができる。
【００３７】
また、エージェント４０のプロキシーエージェント４０１と他のエージェント５０，６０とのインタフェースを標準インタフェースとすることにより、各エージェント４０〜６０をインタフェースを変更せずにネットワーク３０に直接接続することが可能になることから、各エージェント４０〜６０をインタフェースを変更せずにネットワーク３０に直接接続することができるとともに、ネットワーク３０に独立で接続されているエージェント６０をインタフェースを変更せずに同一のノードとして内在させることができる。
【００３８】
さらには、エージェント６０が単独でネットワーク３０に接続された場合であっても、網管理装置２０はエージェント６０のアドレスＡ６０を識別することで、ノード１０とは独立してエージェント６０の管理を行うことができる。
【００３９】
なお、本実施の形態では、エージェント４０〜６０を３個とした場合について説明したが、２個以下であってもよく、４個以上であってもよいことは勿論である。
【００４０】
【発明の効果】
以上の如く本発明に係るネットワーク管理システム及びネットワーク管理方法によれば、第１〜第３のエージェントに対し世界的に重複しない各々異なるアドレスを付与してノード内に内在させ、第１のエージェントを、直接、ネットワークに接続し、第１〜第３のエージェントの間を、それぞれネットワークと同様のインタフェースで接続するとともに、第１〜第３のエージェントをネットワークによって接続された網管理装置によって管理するようにしたので、個々にアドレスを有する複数のエージェントの管理を容易に行うことができ、また各エージェントをインタフェースを変更せずにネットワークに直接接続することができ、さらにはネットワークに独立で接続されているエージェントをインタフェースを変更せずに同一のノードとして内在させることができる。
【図面の簡単な説明】
【図１】本発明のネットワーク管理システムの一実施の形態を示すブロック図である。
【図２】図１のエージェントの詳細を示すブロック図である。
【図３】図１のノード内に内在しているエージェントを単独でネットワークに接続した場合を示すブロック図である。
【符号の説明】
１０  ノード
２０  網管理装置
３０  ネットワーク
４０〜６０  エージェント
４０１  プロキシーエージェント
４０２  エージェント振分機能部
４０３，４０４  マネージャ機能部
【図１】
0003886309.tif 000002
【図２】
0003886309.tif 000003
【図３】
0003886309.tif 000004